(57)【要約】【課題】複数のネットワークを跨ぐ呼に発着共通のサービスを適用すること。【解決手段】呼制御システムは、ＩＭＳネットワークＣａに在圏する発信端末ＭＳから受信した呼接続要求信号に基づいて発信者サービス情報をＨＳＳ３０から取得するサービス判定部４１と、呼接続要求信号を他ネットワークＣｂに送信する接続要求部２１と、その呼接続要求信号に基づいて、他ネットワークＣｂに在圏する着信端末ＭＲに対応する着信者サービス情報を記憶部７１から取得し、発信者サービス情報と着信者サービス情報とを比較する照合部７２と、その比較結果に基づいて、発信端末ＭＳと着信端末ＭＲとの間の呼に適用するサービスを決定するサービス起動部４２と、を備える。【選択図】図１
2010171515.tif 000002
【特許請求の範囲】
【請求項１】
ユーザが加入しているサービスを示すサービス情報を記憶する第１の加入者データベースを含む第１のネットワークと、前記サービス情報を記憶し、且つ該第１のネットワークからアクセスできない第２の加入者データベースを含む第２のネットワークとを備え、該第１のネットワークに在圏する発信端末と該第２のネットワークに在圏する着信端末との間の呼を制御する呼制御システムであって、
前記第１のネットワークにおいて、前記発信端末から受信した呼接続要求信号に基づいて、前記発信端末に対応する発信者サービス情報を前記第１の加入者データベースから取得する第１取得手段と、
前記第１のネットワークにおいて、前記呼接続要求信号を前記第２のネットワークに送信する送信手段と、
前記第２のネットワークにおいて、前記送信手段により送信された呼接続要求信号に基づいて、前記着信端末に対応する着信者サービス情報を前記第２の加入者データベースから取得する第２取得手段と、
前記発信者サービス情報と前記着信者サービス情報とを比較して、前記発信端末と前記着信端末との間の呼に適用するサービスを決定する比較決定手段と、
を備える呼制御システム。
【請求項２】
前記第１のネットワークにおいて、前記第１取得手段により取得された発信者サービス情報に基づいて、前記着信端末に対応する着信者サービス情報が必要であるか否かを判定する判定手段を更に備え、
前記第２取得手段が、前記判定手段により前記着信者サービス情報が必要であると判定された場合に、該着信者サービス情報を前記第２の加入者データベースから取得し、
前記比較決定手段が、前記判定手段により前記着信者サービス情報が必要であると判定された場合に、前記サービスを決定する、
請求項１に記載の呼制御システム。
【請求項３】
前記サービス情報が、一のサービスに加入している複数の端末により構成されるグループを識別するグループＩＤを０個以上含み、
前記判定手段が、前記発信者サービス情報に前記グループＩＤが１個以上含まれる場合に前記着信者サービス情報が必要であると判定し、
前記比較決定手段が、前記発信者サービス情報及び前記着信者サービス情報が同一のグループＩＤを含んでいる場合に、該グループＩＤに対応するサービスを適用することを決定する、
請求項２に記載の呼制御システム。
【請求項４】
前記送信手段が、前記判定手段により前記着信者サービス情報が必要であると判定された場合に、前記発信者サービス情報を前記呼接続要求信号に付加して前記第２のネットワークに送信し、
前記比較決定手段が、
前記第２のネットワークにおいて、前記送信手段により送信された発信者サービス情報のグループＩＤと、前記第２取得手段により取得された着信者サービス情報のグループＩＤとを比較する比較手段と、
前記第１のネットワークにおいて、前記同一のグループＩＤに対応するサービスを適用することを決定する決定手段と、
を備える、
請求項３に記載の呼制御システム。
【請求項５】
前記第１のネットワークがＩＭＳネットワークであることを特徴とする、
請求項１〜４のいずれか一項に記載の呼制御システム。
【請求項６】
ユーザが加入しているサービスを示すサービス情報を記憶する第１の加入者データベースを含む第１のネットワークと、前記サービス情報を記憶し、且つ該第１のネットワークからアクセスできない第２の加入者データベースを含む第２のネットワークとを備え、該第１のネットワークに在圏する発信端末と該第２のネットワークに在圏する着信端末との間の呼を制御する呼制御システム、により実行される呼制御方法であって、
前記第１のネットワークにおいて、前記発信端末から受信した呼接続要求信号に基づいて、前記発信端末に対応する発信者サービス情報を前記第１の加入者データベースから取得する第１取得ステップと、
前記第１のネットワークにおいて、前記呼接続要求信号を前記第２のネットワークに送信する送信ステップと、
前記第２のネットワークにおいて、前記送信ステップにおいて送信された呼接続要求信号に基づいて、前記着信端末に対応する着信者サービス情報を前記第２の加入者データベースから取得する第２取得ステップと、
前記発信者サービス情報と前記着信者サービス情報とを比較して、前記発信端末と前記着信端末との間の呼に適用するサービスを決定する比較決定ステップと、
を含む呼制御方法。
【発明の詳細な説明】
【技術分野】
【０００１】
本発明は、複数のネットワークを跨ぐ呼を制御する呼制御システム及び呼制御方法に関する。
【背景技術】
【０００２】
最近、移動体通信網のコアネットワーク技術としてＩＭＳ（IP Multimedia Subsystem）ネットワークが整備されようとしている。ＩＭＳネットワークは、ＳＩＰ（Session Initiation Protocol）という通信プロトコルを用い、データ通信だけでなく音声や動画のリアルタイム通信を実現するマルチメディアサービスを提供できるネットワークである。ＩＭＳネットワークは、ＨＳＳ（Home Subscriber Server）と呼ばれる加入者データベース、ＣＳＣＦ（Call/Session Control Function）と呼ばれる呼制御装置、ＡＳ（Application Server）と呼ばれるサービス制御装置、ＣＳ−ＧＷ（Circuit Switched Gateway）と呼ばれるゲートウェイノードなどにより構成される。下記特許文献１には、ＩＭＳネットワークを備える移動通信システムが記載されている。
【０００３】
ＩＭＳネットワークにおいて発信端末と着信端末との間の呼を確立する際に、両端末に共通のサービス（例えば定額通話サービス）を提供する場合には、発着双方の加入者情報を読み出してサービス分析を行う必要がある。具体的には、発側のＡＳが、自機内に記憶している発信者情報と、ＨＳＳから読み出した着信者情報とに基づいて、確立しようとする呼に所定のサービスを適用できるか否かを判定する。
【先行技術文献】
【特許文献】
【０００４】
【特許文献１】特開２００７−６０１８１号公報
【発明の概要】
【発明が解決しようとする課題】
【０００５】
しかし、ＩＭＳネットワークと、ＨＳＳとは別個の加入者データベース（例えばＨＬＲ（Home Location Register））を備える他のネットワークとによりコアネットワークが構成される場合には、発側の通信制御装置（例えばＡＳ）が着信者情報を読み出すことができない場合がある。具体的には、ネットワーク間で通信方式が異なったり、相手の加入者データベースに直接アクセス可能なインタフェースが設けられていなかったりする場合には、発側の装置が着側の加入者データベースから着信者情報を取得することができない。その結果、ネットワークを跨ぐ呼に発着共通のサービスを適用することができなくなる。
【０００６】
本発明は上記課題を解決するためになされたものであり、複数のネットワークを跨ぐ呼に発着共通のサービスを適用することが可能な呼制御システム及び呼制御方法を提供することを目的とする。
【課題を解決するための手段】
【０００７】
本発明の呼制御システムは、ユーザが加入しているサービスを示すサービス情報を記憶する第１の加入者データベースを含む第１のネットワークと、サービス情報を記憶し、且つ該第１のネットワークからアクセスできない第２の加入者データベースを含む第２のネットワークとを備え、該第１のネットワークに在圏する発信端末と該第２のネットワークに在圏する着信端末との間の呼を制御する呼制御システムであって、第１のネットワークにおいて、発信端末から受信した呼接続要求信号に基づいて、発信端末に対応する発信者サービス情報を第１の加入者データベースから取得する第１取得手段と、第１のネットワークにおいて、呼接続要求信号を第２のネットワークに送信する送信手段と、第２のネットワークにおいて、送信手段により送信された呼接続要求信号に基づいて、着信端末に対応する着信者サービス情報を第２の加入者データベースから取得する第２取得手段と、発信者サービス情報と着信者サービス情報とを比較して、発信端末と着信端末との間の呼に適用するサービスを決定する比較決定手段と、を備える。
【０００８】
また、本発明の呼制御方法は、ユーザが加入しているサービスを示すサービス情報を記憶する第１の加入者データベースを含む第１のネットワークと、サービス情報を記憶し、且つ該第１のネットワークからアクセスできない第２の加入者データベースを含む第２のネットワークとを備え、該第１のネットワークに在圏する発信端末と該第２のネットワークに在圏する着信端末との間の呼を制御する呼制御システム、により実行される呼制御方法であって、第１のネットワークにおいて、発信端末から受信した呼接続要求信号に基づいて、発信端末に対応する発信者サービス情報を第１の加入者データベースから取得する第１取得ステップと、第１のネットワークにおいて、呼接続要求信号を第２のネットワークに送信する送信ステップと、第２のネットワークにおいて、送信ステップにおいて送信された呼接続要求信号に基づいて、着信端末に対応する着信者サービス情報を第２の加入者データベースから取得する第２取得ステップと、発信者サービス情報と着信者サービス情報とを比較して、発信端末と着信端末との間の呼に適用するサービスを決定する比較決定ステップと、を含む。
【０００９】
このような呼制御システム及び呼制御方法によれば、まず、第１の（発側の）ネットワークにおいて第１の加入者データベースから発信者サービス情報が読み出される。また、第２の（着側の）ネットワークにおいて、第１のネットワークから送られてきた呼接続要求信号に基づいて、第２の加入者データベースから着信者サービス情報が読み出される。そして、発着双方のサービス情報の比較により端末間の呼に適用するサービスが決定される。したがって、発側ネットワークから着側の加入者データベースにアクセスできない環境においても、複数のネットワークを跨ぐ呼に発着共通のサービスを適用することができる。
【００１０】
本発明の呼制御システムでは、第１のネットワークにおいて、第１取得手段により取得された発信者サービス情報に基づいて、着信端末に対応する着信者サービス情報が必要であるか否かを判定する判定手段を更に備え、第２取得手段が、判定手段により着信者サービス情報が必要であると判定された場合に、該着信者サービス情報を第２の加入者データベースから取得し、比較決定手段が、判定手段により着信者サービス情報が必要であると判定された場合に、サービスを決定することが好ましい。
【００１１】
この場合、着信者サービス情報が必要であるか否かが事前に判定されるので、着信者サービス情報が不要な場合に処理を省略することができる。
【００１２】
本発明の呼制御システムでは、サービス情報が、一のサービスに加入している複数の端末により構成されるグループを識別するグループＩＤを０個以上含み、判定手段が、発信者サービス情報にグループＩＤが１個以上含まれる場合に着信者サービス情報が必要であると判定し、比較決定手段が、発信者サービス情報及び着信者サービス情報が同一のグループＩＤを含んでいる場合に、該グループＩＤに対応するサービスを適用することを決定することが好ましい。
【００１３】
この場合、グループＩＤの個数により着信者サービス情報の要否を判断し、発着双方でグループＩＤが一致するか否かでサービスを決定するというように、呼に適用するサービスを簡易に決定することができる。
【００１４】
本発明の呼制御システムでは、送信手段が、判定手段により着信者サービス情報が必要であると判定された場合に、発信者サービス情報を呼接続要求信号に付加して第２のネットワークに送信し、比較決定手段が、第２のネットワークにおいて、送信手段により送信された発信者サービス情報のグループＩＤと、第２取得手段により取得された着信者サービス情報のグループＩＤとを比較する比較手段と、第１のネットワークにおいて、同一のグループＩＤに対応するサービスを適用することを決定する決定手段と、を備えることが好ましい。
【００１５】
この場合、第２のネットワークにおいて発着双方のサービス情報が比較され、第１のネットワークにおいてサービスが決定される。このように二つのネットワークに処理を分散させることで、一方のネットワークにのみ負荷が掛かることを抑制できる。
【００１６】
本発明の呼制御システムでは、第１のネットワークがＩＭＳネットワークであることが好ましい。
【００１７】
この場合、ＩＭＳネットワークから呼接続要求があった場合に、発着共通のサービスを提供することができる。
【発明の効果】
【００１８】
このような呼制御システム及び呼制御方法によれば、第１のネットワークにおいて取得された発信者サービス情報と第２のネットワークにおいて取得された着信者サービス情報とを比較してサービスを決定するので、複数のネットワークを跨ぐ呼に発着共通のサービスを適用することができる。
【図面の簡単な説明】
【００１９】
【図１】実施形態に係る呼制御システムの全体構成を示す図である。
【図２】図１に示すＣＳＣＦの機能構成を示す図である。
【図３】図１に示すＣＳＣＦのハードウェア構成を示す図である。
【図４】図１に示すＡＳの機能構成を示す図である。
【図５】図１に示すＨＬＲの機能構成を示す図である。
【図６】図１に示す呼制御システムの動作を示すシーケンス図である。
【図７】図１に示す呼制御システムの動作を示すシーケンス図である。
【図８】図１に示す呼制御システムの動作を示すシーケンス図である。
【発明を実施するための形態】
【００２０】
以下、添付図面を参照しながら本発明の実施形態を詳細に説明する。なお、図面の説明において同一又は同等の要素には同一の符号を付し、重複する説明を省略する。
【００２１】
まず、図１〜５を用いて、実施形態に係る呼制御システム１の機能及び構成を説明する。図１は、呼制御システム１の全体構成を示す図である。図２はＣＳＣＦ２０の機能構成を示す図である。図３はＣＳＣＦ２０のハードウェア構成を示す図である。図４はＡＳ４０の機能構成を示す図である。図５はＨＬＲ７０の機能構成を示す図である。
【００２２】
呼制御システム１は、発信端末ＭＳと着信端末ＭＲとの間の呼の制御（確立や切断など）を実行するネットワークシステムである。呼制御システム１は、発信端末ＭＳが在圏する発側アクセスネットワークＮＳと、着信端末ＭＲが在圏する着側アクセスネットワークＮＲと、これら二つのアクセスネットワークをつなぐコアネットワークＣとを備えている。コアネットワークＣは、ＩＭＳネットワーク（第１のネットワーク）Ｃａと、他ネットワーク（第２のネットワーク）Ｃｂという二種類の（コア）ネットワークを含んで構成されている。
【００２３】
ＩＭＳネットワークＣａは、ＣＳ−ＧＷ（ゲートウェイノード）１０、ＣＳＣＦ（呼制御装置）２０、ＨＳＳ（第１の加入者データベース）３０、ＡＳ（サービス制御装置）４０、ＭＧＣＦ（Media Gateway Control Function）５０を含んで構成されている。
【００２４】
他ネットワークＣｂは、サービス制御や呼制御を実行するサービスノード６０と、ＨＬＲ（第２の加入者データベース）７０とを含んで構成されている。ＨＬＲ７０は、サービスノード６０によりアクセス可能であり、ＩＭＳネットワークＣａからは直接アクセスすることができない。他ネットワークＣｂの構成は図１に示すものに限定されず、任意の規格に基づいて構成してよい。また、発側と着側とで通信方式が異なっていてもよいし、同じでもよい。例えば、従来から存在する第３世代ネットワークや、発側とは異なるＩＭＳネットワークなどが他ネットワークＣｂとなりうる。ただし、着側コアネットワークの加入者データベースは発側コアネットワークからアクセスできないことが前提となる。
【００２５】
以下では、発信端末ＭＳと着信端末ＭＲとが互いに異なるコアネットワークに在圏する場合を説明する。当然ながら、呼制御システム１は共通のコアネットワークに在圏する端末同士の呼を制御することも可能であるが、本実施形態ではその説明を省略する。なお、発信端末ＭＳ及び着信端末ＭＲの種類は限定されず、携帯電話機、携帯情報端末（ＰＤＡ）、携帯型パーソナルコンピュータ、固定電話機、据置型パーソナルコンピュータなどの任意の通信端末を用いてよい。
【００２６】
まず、ＩＭＳネットワークＣａを構成する各機器について説明する。
【００２７】
ＣＳ−ＧＷ１０は、発側アクセスネットワークＮＳと接続する通信制御装置である。ＣＳ−ＧＷ１０は発信端末ＭＳから受信した呼接続要求信号をＣＳＣＦ２０に送信する。また、ＣＳ−ＧＷ１０は、ＣＳＣＦ２０から受信した応答信号を発信端末ＭＳに送信する。
【００２８】
ＣＳＣＦ２０は、発信端末ＭＳと着信端末ＭＲとの間の呼を制御する通信制御装置である。図２に示すように、ＣＳＣＦ２０は接続要求部（送信手段）２１及び応答処理部２２を備えている。
【００２９】
ＣＳＣＦ２０は、図３に示すように、ＣＰＵ２０１と、ＲＯＭやＲＡＭで構成される主記憶部２０２と、ハードディスクなどで構成される補助記憶部２０３と、他の通信機器との間で信号の送受信を行うための通信インタフェース２０４と、操作キーなどで構成される入力部２０５と、モニタなどで構成される出力部２０６とを備えている。図２に示す各機能は、ＣＰＵ２０１又は主記憶部２０２上に所定のソフトウェアを読み込ませ、ＣＰＵ２０１の制御の下で通信インタフェース２０４、入力部２０５及び出力部２０６を動作させるとともに、主記憶部２０２又は補助記憶部２０３に対してデータの読み出し又は書き込みを行うことで実現される。
【００３０】
接続要求部２１は、他ネットワークＣｂに対して呼接続を要求する部分である。接続要求部２１は、ＣＳ−ＧＷ１０から呼接続要求信号を受信すると、その信号から発信端末ＭＳのユーザ識別子を含む発信者情報と、着信端末ＭＲのユーザ識別子を含む着信者情報とを抽出する。続いて、接続要求部２１はそれらの情報を含むサービス判定要求を生成してＡＳ４０に送信する。その後、ＡＳ４０からサービス判定結果が送信されてくると、接続要求部２１はその判定結果に含まれている発信者サービス情報を呼接続要求信号に付加してＭＧＣＦ５０に送信する。サービス判定結果については後述する。
【００３１】
応答処理部２２は、他ネットワークＣｂからの応答信号に基づいて呼確立のための最終処理を実行する部分である。応答処理部２２はＭＧＣＦ５０から受信した応答信号をＡＳ４０に送信する。その後、応答処理部２２はサービス起動処理を完了したＡＳ４０から受信した応答信号をＣＳ−ＧＷ１０に送信する。
【００３２】
ＨＳＳ３０は、加入者情報を記憶するデータベースである。加入者情報には、通信端末やユーザを識別する情報（例えばユーザＩＤや電話番号など）や、ユーザが加入しているサービスを示すサービス情報などが含まれる。サービス情報は、通信端末（例えば発信端末ＭＳ）に係る呼に適用可能なサービスに関する情報であり、発着双方の加入者情報が必要なサービスについてのものも含まれる。発着双方のユーザ情報が必要なサービスとしては、家族割引サービス、指定割引サービス、リミットサービスなどが挙げられる。発信者及び着信者がこのようなサービスに共に加入している場合には、共通のグループＩＤが発信者及び着信者双方のサービス情報に含まれることになる。
【００３３】
ＡＳ４０は、発信端末ＭＳと着信端末ＭＲとの間に適用するサービスを決定する通信制御装置である。図４に示すように、ＡＳ４０はサービス判定部（第１取得手段、判定手段）４１及びサービス起動部（決定手段）４２を備えている。ＡＳ４０のハードウェア構成は図３に示すＣＳＣＦ２０と同様であり、ＡＳ４０の各機能がハードウェア上でどのように実現されるかも、ＣＳＣＦ２０について説明したことと同様である。
【００３４】
サービス判定部４１は、ＣＳＣＦ２０から受信したサービス判定要求に基づいて発信端末ＭＳに対応する発信者サービス情報をＨＳＳ３０から取得し、その発信者サービス情報に基づいて、着信端末ＭＲに対応する着信者サービス情報が必要であるか否かを判定する部分である。
【００３５】
サービス判定部４１は、サービス判定要求に含まれている発信者情報に対応する発信者サービス情報をＨＳＳ３０から読み出す。そして、読み出した情報に一又は複数のグループＩＤが含まれている場合には、サービス判定部４１は着信者サービス情報が必要であると判定する。続いて、サービス判定部４１はサービス判定要求に含まれる着信者情報を用いてＨＳＳ３０を検索し、着信端末ＭＲがＩＭＳネットワークＣａに在圏しているか別のネットワークに在圏しているかを判定する。着信端末ＭＲが別のネットワーク（例えば図１に示す他ネットワークＣｂ）に在圏している場合には、サービス判定部４１は発信者サービス情報（一又は複数のグループＩＤ）と着信者サービス情報取得の指示とを含むサービス判定結果をＣＳＣＦ２０に送信する。これに対して、着信者サービス情報が不要な場合には、サービス判定部４１はＣＳＣＦ２０に着信者サービス情報の取得を指示する必要はない。
【００３６】
サービス起動部４２は、発信端末ＭＳと着信端末ＭＲとの間の呼に適用するサービスを起動（決定）する部分である。サービス起動部４２は、ＣＳＣＦ２０から受信した応答信号からサービス照合結果（後述）を抽出し、発着双方で共通のグループＩＤが存在したか否かを判断する。このとき、そのようなグループＩＤが存在すれば、サービス起動部４２はそのＩＤに対応するサービスを呼に適用すると決定し、サービス起動を実行する。そして、サービス起動部４２は応答信号をＣＳＣＦ２０に送信する。
【００３７】
ＭＧＣＦ５０は、他ネットワークＣｂとの間で通信を行うために必要なプロトコル変換を実行する通信制御装置である。ＭＧＣＦ５０は、ＣＳＣＦ２０から受信した信号（例えば呼接続要求信号）に対してプロトコル変換を実行し、変換後の信号を他ネットワークＣｂに送信する。また、ＭＧＣＦ５０は、他ネットワークＣｂから受信した信号（例えば応答信号）に対してプロトコル変換を実行し、変換後の信号をＣＳＣＦ２０に送信する。
【００３８】
次に、他ネットワークＣｂを構成する各機器について説明する。
【００３９】
サービスノード６０は、発信端末ＭＳと着信端末ＭＲとの間の呼を制御する通信制御装置である。サービスノード６０のハードウェア構成は図３に示すＣＳＣＦ２０と同様である。サービスノード６０は、ＩＭＳネットワークＣａ（ＭＧＣＦ５０）から受信した呼接続要求信号に発信者サービス情報が付加されていることを検出すると、発着双方のユーザ情報が必要であると認識する。そして、サービスノード６０は、その発信者サービス情報（グループＩＤ）と、呼接続要求信号から抽出した着信者情報とを含むサービス判定要求を生成してＨＬＲ７０に送信する。その後、ＨＬＲ７０からサービス照合結果（後述）を受信すると、サービスノード６０は着信端末ＭＲとの間で呼確立処理を実行すると共に、サービス照合結果を含む応答信号をＩＭＳネットワークＣａ（ＭＧＣＦ５０）に送信する。
【００４０】
ＨＬＲ７０は、加入者情報を記憶し、後述するサービス判定処理を実行する通信制御装置である。図５に示すように、ＨＬＲ７０は、加入者情報を記憶する記憶部７１と、グループＩＤの照合を行う照合部（第２取得手段、比較手段）７２とを備えている。ＨＬＲ７０のハードウェア構成は図３に示すＣＳＣＦ２０と同様であり、ＨＬＲ７０の各機能がハードウェア上でどのように実現されるかも、ＣＳＣＦ２０について説明したことと同様である。
【００４１】
照合部７２は、サービスノード６０からサービス判定要求を受信すると、その要求に含まれている着信者情報を用いて記憶部７１から着信者サービス情報を読み出す。続いて、照合部７２は読み出した着信者サービス情報（一又は複数のグループＩＤ）と、受信した発信者サービス情報（一又は複数のグループＩＤ）とを比較し、一致するグループＩＤが存在するか否かを判定する。続いて、照合部７２は、グループＩＤ毎の照合結果（一致又は不一致）をサービス照合結果としてサービスノード６０に送信する。
【００４２】
次に、図６〜８を用いて、図１に示す呼制御システム１の動作を説明するとともに本実施形態に係る呼制御方法について説明する。図６〜８は、呼制御システム１の動作を示すシーケンス図である。以下では、通話時間が所定時間Ｔを越えると呼を切断する機能（以下では「通話時間制限サービス」という）を適用する場合の例を示す。
【００４３】
まず、図６を用いて説明する。発信端末ＭＳのユーザが着信端末ＭＲのユーザに電話を掛けると、発信端末ＭＳから送信された呼接続要求信号がＣＳ−ＧＷ１０を経由してＣＳＣＦ２０に伝送される（ステップＳ１１）。ＣＳＣＦ２０では、接続要求部２１が呼接続要求信号から発信者情報及び着信者情報を抽出し、それらの情報を含むサービス判定要求をＡＳ４０に送信する（ステップＳ１２）。
【００４４】
ＡＳ４０では、サービス判定部４１がサービス判定要求に含まれる発信者情報を用いてＨＳＳ３０から発信者サービス情報（グループＩＤ）を読み出し（ステップＳ１３、第１取得ステップ）、着信者サービス情報の要否を判定する（ステップＳ１４）。ここでは、通話時間制限サービスのグループＩＤが読み出され、着信者サービス情報が必要であると判定される。続いて、サービス判定部４１は着信端末ＭＲに関する情報をＨＳＳ３０から読み出し、着信端末ＭＲの所在を判断する（ステップＳ１５）。このとき、着信端末ＭＲが他ネットワークＣｂに在圏していれば、サービス判定部４１は発信者サービス情報（グループＩＤ）と着信者サービス情報取得の指示とを含むサービス判定結果をＣＳＣＦ２０に送信する（ステップＳ１６）。
【００４５】
ＣＳＣＦ２０では、接続要求部２１が発信者サービス情報（グループＩＤ）を呼接続要求信号に付加してＭＧＣＦ５０に送信する（ステップＳ１７、送信ステップ）。ＭＧＣＦ５０はこの信号に対してプロトコル変換をした上で、他ネットワークＣｂ側のサービスノード６０に送信する（ステップＳ１７）。
【００４６】
次に、図７を用いて他ネットワークＣｂ側での処理を説明する。サービスノード６０は、発信者サービス情報（グループＩＤ）と着信者情報とを含むサービス判定要求をＨＬＲ７０に送信する（ステップＳ１８）。
【００４７】
ＨＬＲ７０では、照合部７２が着信者情報を用いて着信者サービス情報（グループＩＤ）を読み出し（ステップＳ１９、第２取得ステップ）、発着双方のグループＩＤを比較する（ステップＳ２０、比較決定ステップ）。続いて、照合部７２はその比較に基づいて生成したサービス照合結果をサービスノード６０に送信する（ステップＳ２１）。このときのサービス照合結果は、通話時間制限サービスに関するグループＩＤが発着双方で一致したことを示す情報を含んでいる。
【００４８】
サービスノード６０は、着信端末ＭＲとの間で呼確立処理を行い（ステップＳ２２）、サービス照合結果を含む応答信号をＩＭＳネットワークＣａ側のＭＧＣＦ５０に送信する（ステップＳ２３）。ＭＧＣＦ５０はこの信号に対してプロトコル変換をした上で、ＣＳＣＦ２０に送信する（ステップＳ２３）。
【００４９】
次に、図８を用いてＩＭＳネットワークＣａ側での処理を説明する。ＣＳＣＦ２０では、応答処理部２２が応答信号をＡＳ４０に送信する（ステップＳ２４）。続いて、ＡＳ４０において、サービス起動部４２が応答信号から抽出したサービス照合結果に基づいて、通話時間制限サービスを適用すると決定し、そのサービスを起動する（ステップＳ２５、比較決定ステップ）。続いて、サービス起動部４２は応答信号をＣＳＣＦ２０に送信する（ステップＳ２６）。応答信号がＣＳ−ＧＷ１０を経由して発信端末ＭＳまで伝送されると（ステップＳ２６）、発信端末ＭＳと着信端末ＭＲとの間で呼が確立され、発信者と着信者との間での通話が可能になる（ステップＳ２７）。その後、通話時間が所定時間Ｔを過ぎると、所定の音声ガイダンスが双方の端末に送出され、呼が切断される（ステップＳ２８）。
【００５０】
以上説明したように、本実施形態によれば、まず、ＩＭＳネットワークＣａにおいてＨＳＳ３０から発信者サービス情報が読み出される。また、他ネットワークＣｂおいて、ＩＭＳネットワークＣａから送られてきた呼接続要求信号に基づいて、ＨＬＲ７０から着信者サービス情報が読み出される。そして、発着双方のサービス情報の比較により端末間の呼に適用するサービスが決定される。したがって、ＩＭＳネットワークＣａから着側のＨＬＲ７０にアクセスできない環境においても、複数のネットワークを跨ぐ呼に発着共通のサービスを適用することができる。
【００５１】
また、本実施形態によれば、他ネットワークＣｂにおいて発着双方のサービス情報が比較され、ＩＭＳネットワークＣａにおいてサービスが決定される。このように二つのネットワークに処理を分散させることで、一方のネットワークにのみ負荷が掛かることを抑制できる。
【００５２】
また、本実施形態によれば、グループＩＤの個数により着信者サービス情報の要否を判断し、発着双方でグループＩＤが一致するか否かでサービスを決定するというように、呼に適用するサービスを簡易に決定することができる。
【００５３】
以上、本発明をその実施形態に基づいて詳細に説明した。しかし、本発明は上記実施形態に限定されるものではない。本発明は、その要旨を逸脱しない範囲で以下のような様々な変形が可能である。
【００５４】
上記実施形態では、他ネットワークＣｂ内にあるＨＬＲ７０の照合部７２がサービス情報（グループＩＤ）を比較し、ＩＭＳネットワークＣａ内にあるＡＳ４０のサービス起動部がサービスを決定したが、サービス情報の比較及びサービスの決定をどちらのコアネットワークで実行するかは限定されない。例えば、着側コアネットワークで（例えばＨＬＲにおいて）それら二つの処理を実行し、適用するサービスに関する情報を発側コアネットワーク（例えばＡＳ）に送信することでサービスを起動してもよい。また、着側コアネットワークから発側ネットワークに着信者サービス情報を送信し、発側コアネットワークにおいて比較及び決定の処理を実行してもよい。
【００５５】
上記実施形態では照合部７２がグループＩＤを用いて比較処理を実行したが、発着双方のサービス情報を比較するために用いるデータは限定されない。
【符号の説明】
【００５６】
１…呼制御システム、１０…ＣＳ−ＣＷ、２０…ＣＳＣＦ、２１…接続要求部（送信手段）、２２…応答処理部、３０…ＨＳＳ（第１の加入者データベース）、４０…ＡＳ、４１…サービス判定部（第１取得手段、判定手段）、４２…サービス起動部（決定手段）、５０…ＭＧＣＦ、６０…サービスノード、７０…ＨＬＲ（第２の加入者データベース）、７１…記憶部（第２の加入者データベース）、７２…照合部（第２取得手段、比較手段）、Ｃ…コアネットワーク、Ｃａ…ＩＭＳネットワーク（第１のネットワーク）、Ｃｂ…他ネットワーク（第２のネットワーク）、ＭＲ…着信端末、ＭＳ…発信端末、ＮＲ…着側アクセスネットワーク、ＮＳ…発側アクセスネットワーク。
【図１】
2010171515.tif 000003
【図２】
2010171515.tif 000004
【図３】
2010171515.tif 000005
【図４】
2010171515.tif 000006
【図５】
2010171515.tif 000007
【図６】
2010171515.tif 000008
【図７】
2010171515.tif 000009
【図８】
2010171515.tif 000010